(57)【要約】【課題】１台の調光信号送出装置により複数の放電灯点灯装置の調光率を異なる調光率で簡易に制御するシステムを提供する。【解決手段】照明制御システム５００は、調光信号送出装置３４０と放電灯点灯装置１００とを備える。調光信号送出装置３４０は、アドレス信号と調光信号とを含むアドレス付き調光信号を送出する。放電灯点灯装置１００は、アドレス付き調光信号を受信する調光信号インターフェース３５０と、アドレスデータを記憶する不揮発性メモリ３１３と、アドレス付き調光信号に含まれるアドレス信号がアドレスデータ記憶部に記憶されたアドレスデータのアドレスと一致するかどうかを判定し、一致する場合に、アドレス付き指令信号に含まれる調光信号に対応する制御信号を生成して出力するマイクロコンピュータ３１２と、この制御信号を入力し、入力した制御信号に従ってインバータ回路３００を駆動する制御出力回路３１１とを備えた。【選択図】図１
2008041480.tif 000002
【特許請求の範囲】
【請求項１】
インバータ回路により放電灯を点灯させる放電灯点灯装置において、
アドレスを示すアドレス信号と所定の制御を指令する指令信号とを含むアドレス付き指令信号を受信する受信部と、
アドレスを示すアドレスデータを記憶するアドレスデータ記憶部と、
前記受信部が受信したアドレス付き指令信号に含まれるアドレス信号の示すアドレスがアドレスデータ記憶部に記憶されたアドレスデータの示すアドレスと一致するかどうかを判定し、一致する場合に、アドレス付き指令信号に含まれる指令信号の指令する制御に対応する制御信号を生成して出力するマイクロコンピュータと、
前記マイクロコンピュータが出力した制御信号を入力し、入力した制御信号に従って前記インバータ回路を駆動する制御出力回路と
を備えたことを特徴とする放電灯点灯装置。
【請求項２】
前記受信部は、
アドレス付き指令信号として、アドレス信号と調光率を指示する指令信号である調光信号とを含むアドレス付き調光信号を受信し、
前記マイクロコンピュータは、
前記受信部が受信したアドレス付き調光信号に含まれるアドレス信号の示すアドレスが前記アドレスデータ記憶部に記憶されたアドレスデータの示すアドレスと一致するかどうかを判定し、一致する場合に、アドレス付き調光信号に含まれる調光信号の指令する調光率に対応する制御信号を生成して出力することを特徴とする請求項１記載の放電灯点灯装置。
【請求項３】
前記マイクロコンピュータは、
自己のクロック周波数によって、前記アドレス付き指令信号に含まれるアドレス信号と指令信号とのそれぞれを識別することを特徴とする請求項１記載の放電灯点灯装置。
【請求項４】
前記放電灯点灯装置は、さらに、
前記放電灯が抜去されているかどうかを検出する抜去検出部を備え、
前記マイクロコンピュータは、
前記抜去検出部が前記放電灯の抜去を検出するとともに前記受信部がアドレス信号を受信した場合には前記アドレスデータ記憶部に記憶されたアドレスデータをアドレス信号の示すアドレスに更新することを特徴とする請求項２記載の放電灯点灯装置。
【請求項５】
前記マイクロコンピュータは、
前記制御信号を出力している場合において予め設定された期間の間に前記受信部がアドレス付き調光信号を受信しない場合には、予め設定された所定の調光率に対応する制御信号を生成して出力することを特徴とする請求項２記載の放電灯点灯装置。
【請求項６】
前記受信部は、
複数のアドレス付き調光信号をシリアルに受信し、
前記マイクロコンピュータは、
前記受信部がシリアルに受信した複数のアドレス付き調光信号の中に、前記アドレスデータ記憶部に記憶されたアドレスデータの示すアドレスと一致するアドレスを示すアドレス信号を含むアドレス付き調光信号が存在しない場合には、予め設定された所定の調光率に対応する制御信号を生成して出力することを特徴とする請求項２記載の放電灯点灯装置。
【請求項７】
前記受信部は、
複数のアドレス付き調光信号をシリアルに受信し、
前記マイクロコンピュータは、
前記受信部がシリアルに受信した複数のアドレス付き調光信号の中に、前記アドレスデータ記憶部に記憶されたアドレスデータの示すアドレスと一致するアドレスを示すアドレス信号を含むアドレス付き調光信号が存在しない場合には、予め指定された条件に合致するアドレス信号を含むアドレス付き調光信号を選択し、選択したアドレス付き調光信号に含まれる調光信号の指令する調光率に対応する制御信号を生成して出力することを特徴とする請求項２記載の放電灯点灯装置。
【請求項８】
所定の制御を指令する指令信号を送出する指令信号送出装置と前記指令信号送出装置が送出した指令信号に基づいてインバータ回路により放電灯を点灯させる放電灯点灯装置とを備えた照明制御システムにおいて、
前記指令信号送出装置は、
アドレスを示すアドレス信号と所定の制御を指令する指令信号とを含むアドレス付き指令信号を送出し、
前記放電灯点灯装置は、
前記指令信号送出装置が送出したアドレス付き指令信号を受信する受信部と、
アドレスを示すアドレスデータを記憶するアドレスデータ記憶部と、
前記受信部が受信したアドレス付き指令信号に含まれるアドレス信号の示すアドレスがアドレスデータ記憶部に記憶されたアドレスデータの示すアドレスと一致するかどうかを判定し、一致する場合に、アドレス付き指令信号に含まれる指令信号の指令する制御に対応する制御信号を生成して出力するマイクロコンピュータと、
前記マイクロコンピュータが出力した制御信号を入力し、入力した制御信号に従って前記インバータ回路を駆動する制御出力回路と
を備えたことを特徴とする照明制御システム。
【請求項９】
前記照明制御システムは、
複数の前記放電灯点灯装置を備えたことを特徴とする請求項８記載の照明制御システム。
【請求項１０】
前記指令信号送出装置は、
アドレス付き指令信号として、アドレス信号と調光率を指令する指令信号である調光信号とを含むアドレス付き調光信号を送出し、
前記マイクロコンピュータは、
前記受信部が受信したアドレス付き調光信号に含まれるアドレス信号の示すアドレスがアドレスデータ記憶部に記憶されたアドレスデータの示すアドレスと一致するかどうかを判定し、一致する場合に、アドレス付き調光信号に含まれる調光信号の指令する調光率に対応する制御信号を生成して出力することを特徴とする請求項８または９いずれかに記載の照明制御システム。
【請求項１１】
前記指令信号送出装置は、
１以上のアドレス付き調光信号をシリアルに送信することを特徴とする請求項１０記載の照明制御システム。
【請求項１２】
前記指令信号送出装置は、
アドレス付き調光信号に加え、調光信号を伴わないアドレス信号である単体アドレス信号を送出可能であり、
前記受信部は、
単体アドレス信号を受信可能であり、
前記放電灯点灯装置は、さらに、
前記放電灯が抜去されているかどうかを検出する抜去検出部を備え、
前記マイクロコンピュータは、
前記抜去検出部が前記放電灯の抜去を検出するとともに前記受信部が単体アドレス信号を受信した場合には前記アドレスデータ記憶部に記憶されたアドレスデータを単体アドレス信号の示すアドレスに更新することを特徴とする請求項１０記載の照明制御システム。
【請求項１３】
前記指令信号送出装置は、
アドレス付き指令信号として、アドレス信号と前記放電灯の消灯を指令する指令信号である消灯信号とを含むアドレス付き消灯信号と、アドレス信号と前記放電灯の点灯を指令する指令信号である点灯信号とを含むアドレス付き点灯信号とのいずれも送出可能であり、
前記マイクロコンピュータは、
前記受信部がアドレス付き消灯信号を受信した場合にはアドレス付き消灯信号に含まれるアドレス信号の示すアドレスが前記アドレスデータ記憶部に記憶されたアドレスデータの示すアドレスと一致するかどうかを判定し、一致する場合に、アドレス付き消灯信号に含まれる消灯信号に対応した制御信号を生成して出力し、前記受信部がアドレス付き点灯信号を受信した場合にはアドレス付き点灯信号に含まれるアドレス信号の示すアドレスが前記アドレスデータ記憶部に記憶されたアドレスデータの示すアドレスと一致するかどうかを判定し、一致する場合に、アドレス付き点灯信号に含まれる点灯信号に対応した制御信号を生成して出力することを特徴とする請求項８または９いずれかに記載の照明制御システム。
【請求項１４】
インバータ回路により放電灯を点灯させる放電灯点灯装置において、
アドレスを示す複数のアドレス信号を連続して受信し、引き続き、所定の制御を指令する複数の指令信号を連続して受信する受信部と、
アドレスを示すアドレスデータを記憶するアドレスデータ記憶部と、
前記受信部が連続して受信するアドレス信号の示すアドレスが前記アドレスデータ記憶部に記憶されたアドレスデータの示すアドレスと一致するかどうかを順次に判定するとともにアドレスデータの示すアドレスと一致するアドレスを示す一致アドレス信号を検出するまでアドレス信号の受信順位をカウントして記憶し、一致アドレス信号を検出した場合には、一致アドレス信号の受信順位に対応する受信順位までは指令信号の受信順位をカウントするとともに一致アドレス信号の受信順位に対応する受信順位の指令信号を選択し、選択した指令信号の指令する制御に対応する制御信号を生成して出力するマイクロコンピュータと、
前記マイクロコンピュータが出力した制御信号を入力し、入力した制御信号に従って前記インバータ回路を駆動する制御出力回路と
を備えたことを特徴とする放電灯点灯装置。
【請求項１５】
所定の制御を指令する指令信号を送出する指令信号送出装置と前記指令信号送出装置が送出した指令信号に基づいてインバータ回路により放電灯を点灯させる放電灯点灯装置とを備えた照明制御システムにおいて、
前記指令信号送出装置は、
アドレスを示す複数のアドレス信号を連続して送信し、引き続き、所定の制御を指令する複数の指令信号を連続して送出し、
前記放電灯点灯装置は、
前記指令信号送出装置から複数のアドレス信号を連続して受信し、引き続き、複数の指令信号を連続して受信する受信部と、
アドレスを示すアドレスデータを記憶するアドレスデータ記憶部と、
前記受信部が連続して受信するアドレス信号の示すアドレスが前記アドレスデータ記憶部に記憶されたアドレスデータの示すアドレスと一致するかどうかを順次に判定するとともにアドレスデータの示すアドレスと一致するアドレスを示す一致アドレス信号を検出するまでアドレス信号の受信順位をカウントして記憶し、一致アドレス信号を検出した場合には、一致アドレス信号の受信順位に対応する受信順位までは指令信号の受信順位をカウントするとともに一致アドレス信号の受信順位に対応する受信順位の指令信号を選択し、選択した指令信号の指令する制御に対応する制御信号を生成して出力するマイクロコンピュータと、
前記マイクロコンピュータが出力した制御信号を入力し、入力した制御信号に従って前記インバータ回路を駆動する制御出力回路と
を備えたことを特徴とする照明制御システム。
【発明の詳細な説明】
【技術分野】
【０００１】
この発明は、放電灯の調光制御に関するものである。特に、１つの調光信号送出装置で複数の照明器具の放電灯を異なる調光率で点灯可能とする放電灯点灯装置及び照明制御システムに関する。なお、調光率とは、放電灯の定格出力に対する調光制御時の出力の比率である。
【背景技術】
【０００２】
従来より、調光信号送出装置から調光信号を送出し、送出された調光信号により制御される放電灯点灯装置で放電灯を調光制御することは知られている。このような従来例として、特開昭６４−７２４９７号公報（特許文献１）がある。特許文献１では、放電灯点灯装置の外部からＰＷＭ調光信号を送出し、前記ＰＷＭ調光信号の指令値に一致するように放電灯の出力を制御するものである。
【０００３】
しかし、特許文献１では、共通の調光信号送出装置に接続された複数の放電灯点灯装置（当該実施例のランプ点灯装置が相当する）は、同一のＰＷＭ信号で制御されるため、同一の調光率となる。従って、同一室内において、太陽光の入る明るい窓側と、太陽光の少ない壁側とを同一の照度になるように調光制御するには、複数の調光信号送出装置によって制御する必要があった。このような設置の条件の場合は、調光信号送出装置が複数台必要でありコスト高になるという課題がある。さらに、このような設置の条件の場合は、複数の調光信号送出装置と、それらに接続される複数の放電灯点灯装置との間の調光制御信号線の敷設工事が複雑になるという課題があった。
【０００４】
また、前記従来例における既存の照明制御装置で、例えば、室内に新たに間仕切り（パーティション）を設置し、この影響で外光などからの照度が影響を受けた場合には、調光信号送出装置の追加や、あるいは、既存の別の調光信号送出装置への調光制御信号線の敷設の変更などが必要であった。即ち、照度への変化を与える諸条件が変わった場合には、調光信号送出装置の追加や調光制御信号線の敷設の変更など、いわゆるハード的な対処が必要であり、照度に変化を与える諸条件の変化に柔軟性に対応できない課題があった。
【特許文献１】特開昭６４−７２４９７号公報
【発明の開示】
【発明が解決しようとする課題】
【０００５】
この発明は、１台の調光信号送出装置により１台以上の放電灯点灯装置の調光率を簡易に制御するシステムを提供する。
【課題を解決するための手段】
【０００６】
この発明の放電灯点灯装置は、
インバータ回路により放電灯を点灯させる放電灯点灯装置において、
アドレスを示すアドレス信号と所定の制御を指令する指令信号とを含むアドレス付き指令信号を受信する受信部と、
アドレスを示すアドレスデータを記憶するアドレスデータ記憶部と、
前記受信部が受信したアドレス付き指令信号に含まれるアドレス信号の示すアドレスがアドレスデータ記憶部に記憶されたアドレスデータの示すアドレスと一致するかどうかを判定し、一致する場合に、アドレス付き指令信号に含まれる指令信号の指令する制御に対応する制御信号を生成して出力するマイクロコンピュータと、
前記マイクロコンピュータが出力した制御信号を入力し、入力した制御信号に従って前記インバータ回路を駆動する制御出力回路と
を備えたことを特徴とする。
【発明の効果】
【０００７】
この発明により、１台の調光信号送出装置により１台以上の放電灯点灯装置の調光率を簡易に制御するシステム及び放電灯点灯装置を提供することができる。
【発明を実施するための最良の形態】
【０００８】
実施の形態１．
図１〜図７を用いて実施の形態１を説明する。実施の形態１は、調光信号送出装置からアドレス信号とＰＷＭ信号（調光信号を意味する。以下同じ）とを含むアドレス付き調光信号を送出することにより、１台の調光信号送出装置で、それぞれが所定のアドレスを持つ複数の放電灯点灯装置を異なる調光率で制御することを可能とする照明制御システムに関する。放電灯点灯装置にアドレスを持たせるとともに、調光信号（指令信号の一例）にアドレス情報を付加することで、１台の調光信号送出装置により複数の放電灯点灯装置の調光率を簡易に制御することができる。
【０００９】
図１は、実施の形態１における照明制御システム５００を示す構成図である。照明制御システム５００は、調光信号送出装置３４０（指令信号送出装置）と放電灯点灯装置１００とを備える。調光信号送出装置３４０は調光信号を送信する。放電灯点灯装置１００は、調光信号送出装置３４０が送信した調光信号を受信し、調光信号にしたがって放電灯を調光する。なお、放電灯点灯装置１００は、図１の記載では放電灯１１を含んでいるが、放電灯１１は、後述の図７に示すように、放電灯点灯装置１００の構成要素ではない。
【００１０】
まず、放電灯点灯装置１００を説明する。放電灯点灯装置１００は、交流電源１から電力を供給される。
【００１１】
放電灯点灯装置１００において、交流電源１は、ダイオードブリッジ２で整流されて脈流成分を含む直流電源として昇圧チョッパ回路２００に供給される。
【００１２】
昇圧チョッパ回路２００は、昇圧チョッパ制御回路２１０で制御され、チョークコイル３、スイッチング素子５、ダイオード４、コンデンサ６の構成により、入力された脈流を含む直流電源を昇圧・平滑し、昇圧・平滑した直流電源をインバータ回路３００に供給する。
【００１３】
インバータ回路３００は、インバータ制御回路３１０により制御されて、スイッチング素子７及びスイッチング素子８により昇圧チョッパ回路２００の直流電圧を高周波電圧に変換する。また、スイッチング素子７には、抵抗１３が並列に接続される。なお、スイッチング素子７及びスイッチング素子８のドレイン・ソース間に逆並列に接続されているダイオードは、図示を省略する。
【００１４】
放電灯負荷回路３３０は、カップリングコンデンサ９、チョークコイル１０、放電灯１１の直列回路及びカップリングコンデンサ９に並列に接続された抵抗１４、及び、放電灯１１に並列に接続されたコンデンサ１２から構成される。
【００１５】
（調光インターフェース回路）
調光信号送出装置３４０から送出された調光信号は、調光インターフェース回路３５０（受信部）で直流的に絶縁され、インバータ制御回路３１０のマイコン３１２に入力される。マイコン３１２は、この調光信号により放電灯１１の調光率を制御する。調光信号送出装置３４０の出力端子（Ｔｄ１，Ｔｄ２）からは、後述する図３（ａ）に示す調光信号が送出される。調光インターフェース回路３５０は、フォトダイオードとフォトトランジスタとから構成されたフォトカプラ３５１、入力電流制限抵抗３５２、出力電流制限抵抗３５３とから構成される。
【００１６】
（インバータ制御回路３１０）
インバータ制御回路３１０は、インバータ回路３００を駆動する制御出力回路３１１、マイクロコンピュータ３１２（以下、マイコンという）、及び不揮発性メモリ３１３（アドレスデータ記憶部）とから構成される。マイコン３１２は、調光インターフェース回路３５０が調光信号送出装置３４０から送出された調光信号を受信すると、この調光信号に対応する制御信号を生成して制御出力回路３１１に出力する。制御出力回路３１１は制御信号を入力し、入力した制御信号に従ってインバータ回路３００のスイッチング素子７及びスイッチング素子８を駆動する。これにより放電灯の調光制御を行なう。また、図２に示すように、不揮発性メモリ３１３は、放電灯点灯装置１００を識別するためのアドレスデータ３１３１を格納している。
【００１７】
図２を説明する。図２は、不揮発性メモリ３１３が記憶している情報の一部を示す。不揮発性メモリ３１３は、自己の放電灯点灯装置１００の識別のために与えられたアドレスデータ３１３１と、調光信号送出装置３４０が送出する調光信号のデューティ比と調光指令値との対応関係を示す対応テーブル３１３２とを記憶している。マイコン３１２は、対応テーブル３１３２に基づいて前記制御信号を生成する。
【００１８】
放電灯状態検出回路３２０（抜去検出部）は、放電灯１１の放電灯負荷回路３３０へ装着または抜去状態の検出をし、及び放電灯１１の正常または不良状態を検出する。放電灯状態検出回路３２０は、放電灯１１の装着状態を、コンデンサ６を電源として抵抗１３、抵抗１４、放電灯１１の両フィラメントを介して電流が流れることで検出する。また、放電灯状態検出回路３２０は、放電灯１１の両端電圧と、フィラメントの電圧とを検出してマイコン３１２に出力する。マイコン３１２は、これらの電圧から放電灯１１の正常または不良状態を識別する。
【００１９】
図３は、調光信号送出装置３４０が送出する「アドレス付き調光信号」の波形図を示す。図３（ａ）は、調光信号送出装置３４０から送出される複数のアドレス付き調光信号の全体を示す図である。図３（ａ）に示すように、調光信号送出装置３４０は、まず期間Ｔ１の信号を送出し、ついで期間Ｔ２の信号を送出し、・・・期間Ｔｎの信号を送出し、その後は、また期間Ｔ１の信号を送出する循環を繰り返す。ここで「アドレス付き調光信号」とは、例えば、所定のアドレスを示すアドレス信号１とＰＷＭ信号１（調光信号）との組からなる期間Ｔ１の信号を意味する。調光信号送出装置３４０は、「アドレス付き調光信号」として、アドレス信号を先に送出し、続いて、シリアルにＰＷＭ信号を送出する。調光信号送出装置３４０は、図３に示すように、Ｔ１〜Ｔｎの複数のアドレス付き調光信号をシリアルに送出する。マイコン３１２は、いずれかのアドレス信号の示すアドレスが不揮発性メモリ３１３に格納されているアドレスデータの示すアドレスと一致すると判断すると、そのアドレス信号に連続して受信したＰＷＭ信号を選択し、その他のＰＷＭ信号は無視する。
【００２０】
このように、アドレス付き調光信号は、アドレス信号ｋと、このアドレス信号ｋに対応するとともにアドレス信号ｋの直後に送出されるＰＷＭ信号ｋとのシリアル信号である。なお、「対応する」とは、アドレス信号ｋとＰＷＭ信号ｋとの間に何らかの紐付けがされている意味ではなく、マイコン３１２がアドレス信号ｋを自己のアドレスと同一と判定すると、アドレス信号ｋの「直後」のＰＷＭ信号であるＰＷＭ信号ｋを選択するという意味である。
【００２１】
なお、調光信号送出装置３４０が送出するアドレス信号とＰＷＭ信号とは、マイコン３１２のクロック周波数で識別可能な異なる周波数である。マイコン３１２は、自己のクロック周波数で、それぞれのアドレス信号及びＰＷＭ信号を識別する。
【００２２】
図３（ｂ）は、アドレス付き調光信号のうち、アドレス信号の部分を説明する波形図である。マイコン３１２は、アドレス信号の期間Ｔａ１に占めるＴａ１（ｈｉｇｈ）の比率により、アドレスを識別する。
【００２３】
図３（ｃ）は、アドレス付き調光信号のうち、ＰＷＭ信号の部分を説明する波形図である。マイコン３１２は、ＰＷＭ信号の期間Ｔｐ１に占めるＴｐ１（ｈｉｇｈ）の比率により、指令された調光率を識別する。
【００２４】
（調光制御動作の説明）
次に、図４を用いて照明制御システム５００による調光制御の動作を説明する。図１の回路において、交流電源１が投入されると、インバータ回路３００は、インバータ制御回路３１０（マイコン３１２）によって制御され、放電灯１１は点灯する。
【００２５】
調光信号送出装置３４０から図３（ａ）に示すようなＴ１〜Ｔｎのアドレス付き調光信号が循環して送出され、これらの信号を調光インターフェース回路３５０が受信する（Ｓ１０１）。
【００２６】
マイコン３１２は、調光信号送出装置３４０から送出されるアドレス付き調光信号のアドレス信号の示すアドレスが、不揮発性メモリ３１３に記憶されたアドレスデータ３１３１の示すアドレスと一致するかどうかを判定し（Ｓ１０２）、一致する場合、その一致するアドレス信号の直後のＰＷＭ信号を選択する（Ｓ１０３）。例えば、不揮発性メモリ３１３に記録されたアドレスデータ３１３１の示すアドレスが「ｎ」とするならば、マイコン３１２は、アドレス付き調光信号のアドレスｎに対応するＰＷＭ信号ｎを選択する。
マイコン３１２は、ＰＷＭ信号ｎの周期Ｔｐｎに占めるＨ期間Ｔｐｎ（ｈｉｇｈ）の比率である
Ｔｐｎ（ｈｉｇｈ）／Ｔｐｎ＝Ｒｎ（以降、この比率ＲｎをＰＷＭ信号デューティ比と呼ぶ）
を算出する（Ｓ１０４）。
【００２７】
また、図２に示すように、不揮発性メモリ３１３は、ＰＷＭ信号デューティ比Ｒｎと放電灯１１の調光率（調光指令値）との対応を示す「対応テーブル３１３２」を予め記録している。なお、ＰＷＭ信号デューティ比Ｒｎと放電灯の調光率とは、どのような対応関係に決定してもよい。例えば、ＰＷＭ信号デューティ比Ｒｎが大きくなるにしたがって放電灯の調光率が大きくなるようにしてもよいし、ＰＷＭ信号デューティ比Ｒｎが大きくなるにしたがって放電灯の調光率が小さくなるようにしてもよい。アドレスデータ３１３１にアドレスｎが記憶されている場合、マイコン３１２は、アドレスｎのＰＷＭ信号デューティ比Ｒｎに対応した調光率で点灯するように放電灯１１を制御する。マイコン３１２は、対応テーブル３１３２からＰＷＭ信号デューティ比Ｒｎに対応した調光指令値を選び、選んだ調光指令値に対応した制御信号を生成し、制御出力回路に出力する。また、前述のように、マイコン３１２は、不揮発性メモリ３１３に記録されたアドレスデータ３１３１に対応しないＰＷＭ信号を無視する。
【００２８】
（アドレス付き調光信号を一定期間受信しない場合）
また、マイコン３１２は、調光インターフェース回路３５０がアドレス付き調光信号を所定の期間継続して受信しない場合は、放電灯１１の調光率を予め設定された所定の調光率で継続的に点灯維持するように制御する。これは、調光信号送出装置３４０の故障または調光信号線の経路の断線の可能性があるからである。あるいは、調光インターフェース回路３５０が、アドレス付き調光信号を所定の期間継続して受信しない場合、マイコン３１２は、放電灯の調光率を周期的に明滅または明暗に制御して、調光信号送出装置３４０系統の故障を表示しても良い。
【００２９】
なお、図１の回路で放電灯１１の調光率を小さくする場合は、マイコン３１２は、インバータ回路３００の発振周波数を相対的に大きくなるように制御し、逆に、調光率を大きくする場合は、発振周波数を相対的に小さくするように制御する。
【００３０】
また、放電灯状態検出回路３２０が、放電灯１１の放電灯負荷回路３３０への装着を検出し、かつ、放電灯１１の正常状態を検出している場合にのみ、インバータ回路３００はマイコン３１２により発振が継続的に駆動される。従って、放電灯１１の未装着や寿命末期等の異常状態の場合は、インバータ回路３００の発振は停止される。
【００３１】
（不揮発性メモリにおけるアドレスの設定と変更）
次に、図５〜図７を用いて不揮発性メモリ３１３にアドレスをする方法及び設定したアドレスを変更する方法を説明する。
【００３２】
図１において、不揮発性メモリ３１３は、読込み／書込み可能（Ｒ／Ｗ：Ｒｅａｄ／Ｗｒｉｔｅ  ｍｅｍｏｒｙ）なものを選定する。
【００３３】
また、調光信号送出装置３４０は、図３（ａ）に示した調光信号を送出する「調光制御モード」の他に、図５に示すアドレス信号（単体アドレス信号）のみを送出する「アドレス設定モード」が可能な構成とする。
【００３４】
図５は、調光信号送出装置３４０が送出する信号波形を示す。図５（ａ）は、「アドレス設定モード」において、調光信号送出装置３４０が、アドレス信号１のみを連続的に送出している場合の波形図を示す。図５（ｂ）は、調光信号送出装置３４０が、アドレス信号ｎを連続的に送出している場合を示す波形図である。
【００３５】
次に、図６のフローチャートを参照して、放電灯点灯装置の不揮発性メモリ３１３にアドレスを設定する場合を説明する。
【００３６】
図７は、照明制御システム１０００を示す構成図である。図７は、１台の調光信号送出装置３４０によって、アドレス１からアドレスｎまでの複数の照明機器を異なる調光率で制御する場合の模式図を示したものである。照明制御システム１０００は、一つの調光信号送出装置３４０と、アドレス１からアドレスｎとなるべきｎ台の照明器具を備える。照明器具５００−１〜照明器具５００−ｎは、同じ構成である。照明器具５００−１は、放電灯点灯装置１０１−１と放電灯１１−１とを備える。放電灯点灯装置１０１−１は、放電灯点灯装置１００と同じ構成である。なお、図１では放電灯１１を放電灯点灯装置１００に含めて図示しているが、実施の形態１の冒頭で述べたように放電灯１１は放電灯点灯装置の構成要素ではない。図７のように、放電灯と放電灯点灯装置とが、照明器具を構成する。
【００３７】
図７において、図１と同等または相当する構成要素には同一符号を付して、その説明を省略する。また、複数本の配線も１本に省略してある。また、電源を供給する配線は実線で示し、調光信号を送出する配線は破線で示した。図７で、電源スイッチ２０は交流電源１を開閉する。電源スイッチ２０には、
「１」のアドレスが設定される予定の放電灯点灯装置１０１−１を備えた照明器具５００−１から、ｎのアドレスが指定される予定の放電灯点灯装置１０１−ｎを備えた照明器具５００−ｎまでの、ｎ台の照明器具が接続される。
【００３８】
（アドレス設定／更新の処理）
図７において、例えば、「アドレス１」が設定される予定の照明器具５００−１に「アドレス１」を設定する方法を説明する。アドレス設定／更新の処理は、マイコン３１２が、放電灯１１が抜去中であることを認識している場合に、所定のアドレス信号を受信すると、受信した所定のアドレス信号の示すアドレスに不揮発性メモリ３１３のデータを書き換える。
【００３９】
電源スイッチ２０をＯＦＦ（開）にして（Ｓ２０１）、照明器具５００−１の放電灯１１−１を抜去する（Ｓ２０２）。そして、を「アドレス信号１」のみが送出する「アドレス設定モード」にして（Ｓ２０３）、電源スイッチ２０をＯＮ（閉）にする（Ｓ２０４）。この状態は、放電灯１１−１を抜去状態なので、放電灯状態検出回路３２０が「抜去状態」を検出して検出信号を出力する（Ｓ２０５）。マイコン３１２は放電灯状態検出回路３２０から「抜去状態」の検出信号を入力し、放電灯１１の「抜去状態」を認識する。これにより、マイコン３１２は、インバータ回路３００の動作停止を指示する制御信号を制御出力回路３１１に出力する。したがって、インバータ回路３００は動作を停止する（Ｓ２０６）。
【００４０】
そして、人が操作することにより、調光信号送出装置３４０は、図５（ａ）に示すように、「アドレス信号１」を連続的に出力する。これにより、「アドレス１」のみの信号は、調光インターフェース回路３５０から連続的に取り込まれ、マイコン３１２で検出される。マイコン３１２は、放電灯１１の「抜去状態」を認識中にアドレス信号を受信した場合には、不揮発性メモリ３１３のアドレスデータ３１３１のデータ（初期値は何らかのデフォルト値）を受信したアドレス信号の示すアドレスの値に上書きする（Ｓ２０７）。このように、マイコン３１２は、不揮発性メモリ３１３のアドレスデータ３１３１を検出した最新のアドレスデータに更新する。なお、アドレス設定モードで説明したが、「調光制御モード」にて、同一のアドレス信号のみを送出する場合でも、同様にアドレスを設定／変更することは可能である。
【００４１】
次に、電源スイッチ２０をＯＦＦにし、照明器具５００−１に放電灯１１−１を装着する。
【００４２】
（照明器具５００−２等へのアドレス設定／更新）
照明器具５００−１に「アドレス１」を設定した場合と同様の手順で、「アドレス２」から「アドレスｎ」を予定した照明器具のアドレスを、予定したアドレスに設定する。そして、調光信号送出装置３４０を「調光制御モード」に設定して電源スイッチ２０をＯＮにすれば、それぞれのアドレスが付与された照明器具は、各インバータ制御回路３１０の不揮発性メモリに記録されたアドレスに対応したＰＷＭ調光信号の調光率で点灯制御される。
【００４３】
上記のように、本実施の形態の照明制御システムは、１つの調光信号送出装置に接続される複数の照明器具の調光率を複数の異なる調光率で調光制御できる。また、簡単な操作で照明器具のアドレスとそれに対応するＰＷＭ信号の調光率を変更できるので、例えば、間仕切りの変更などの理由で、照度への変化を与える諸条件が変わった場合にも、影響を受けた部分のアドレスの照明器具の調光率をソフト的に変更することで柔軟に対応できる。
【００４４】
なお、昇圧チョッパ回路２００、インバータ回路３００、放電灯負荷回路３３０などは図示の構成のものに限らず、これと同等の作用をする他の構成のものでも良い。
【００４５】
また、同一の調光信号送出装置に複数の同一アドレスの照明器具が接続されても良いことは明らかである。
【００４６】
（一定期間の不受信）
また、調光信号送出装置の故障、または、調光信号線の断線故障などの理由で調光信号が所定の一定期間以上受信できない場合は、照明器具の調光率を予め定めた所定の調光率で点灯するようにすれば、故障の場合にも所定の照度を確保することができ、全て消灯してしまう不具合を避けることができる。
【００４７】
（対応するアドレス信号を受信しない場合）
また、調光信号送出装置から送出された調光信号に該当するアドレスが無い照明器具の場合も、予め定めた所定の調光率か、または、送出されたアドレスのうち、最大または最小のアドレスなど予め設定したアドレスに対応したＰＷＭ信号の調光率で制御するようにすれば、消灯してしまう不具合を避けることができる。
【００４８】
（複数のアドレス信号の送出に引き続き、調光信号を送出）
また、図２では、アドレス信号とそのアドレス信号に対応させたいＰＷＭ信号は、シリアルで連続に送出されている。これを次のようにしてもよい。調光信号送出装置３４０は、先に「１」から「ｎ」のアドレス信号を連続してシリアルに送出し、続いて、ＰＷＭ信号を連続してシリアルに送出する。この場合、アドレス信号とＰＷＭ信号とは紐付けされているわけでない。こため、マイコン３１２は、調光インターフェース回路３５０がアドレス信号１〜アドレス信号ｎを受信する場合、その受信した順番（受信順位）を記憶しておく。以下の例では放電灯点灯装置の格納するアドレスが「５」とする。マイコン３１２は、アドレス信号１〜アドレス信号ｎのうち、アドレス「５」を示すアドレス信号を１５番目に受信したと記憶するものとする。マイコン３１２は、アドレス信号に引き続きシリアルに送出される調光信号のうち１５番目の調光信号を選択し、その調光信号の調光率で放電灯を点灯する。さらに具体的な、動作は以下である。すなわち、マイコン３１２は、調光信号送出装置３４０からシリアルに送出されるアドレス信号が、アドレスデータ３１３１のアドレスと一致するかどうかを、受信するアドレス信号について順次に判定する。マイコン３１２は、一致するアドレス信号（以下、一致アドレスという）を検出した場合、その後に受信されるアドレス信号の受人順位は記憶してもよいし、記憶しなくても構わない。マイコン３１２は、一致アドレス信号を受信した場合、調光信号送出装置３４０からアドレス信号に続いて送出される調光信号について、一致アドレス信号の受信順位に対応する受信順位までは調光信号の受信順位をカウントする。そして、一致アドレス信号の受信順位に対応する受信順位の調光信号を選択し、選択した調光信号の指令する制御に対応する制御信号を生成して制御出力回路３１１に出力する。
【００４９】
（アドレス付き消灯信号、アドレス付き点灯信号）
また、アドレス信号とＰＷＭ信号に加えて、放電灯の消灯状態を指令する消灯信号や消灯状態から点灯状態にする点灯信号などを、各アドレス信号に対応させて送出し、これを実行しても本実施の形態の効果が得られることは明らかである。あるいは、調光信号送出装置３４０は、消灯信号や点灯信号をＰＷＭ信号に置き換えて、アドレス付き消灯信号、アドレス付き点灯信号として送出してもよい。
【００５０】
本実施の形態の照明制御システムによれば、１台の調光信号送出装置に接続される複数の放電灯点灯装置を異なる調光率で調光制御できるので、複数の高価な調光信号送出装置とそれらに接続される複数の放電灯点灯装置との間の複雑な配線の敷設も不要な、安価できめ細かな照度分布制御が可能な照明制御システムを提供できる。
【００５１】
本実施の形態の照明制御システムによれば、間仕切りの新たな設置や変更などの理由で、照度への変化を与える諸条件が変わった場合にも、調光信号送出装置の追加や調光制御信号線の敷設の変更など、いわゆるハード的な対処なしに、照度変化の影響を受けた放電灯点灯装置のアドレスに対応したＰＷＭ信号のデューティ比を変更する、いわゆる、ソフト的で柔軟性のある照明制御システムを提供できる。
【００５２】
実施の形態１の放電灯点灯装置は、マイコン３１２が、アドレスデータ３１３１と一致するアドレス信号に対応する調光信号を選択する。よって、特別の装置を必要とすることなく容易に調光制御をすることができる。
【００５３】
実施の形態１の放電灯点灯装置は、マイコン３１２が、自己のクロック周波数によりアドレス信号と調光信号とを識別するので、簡単、迅速にこれらを識別することができる。
【００５４】
実施の形態１の放電灯点灯装置は、放電灯を取り外すことでアドレスデータ３１３１を設定／更新することができるので、容易に、装置のアドレスを書き換えることができる。
【００５５】
実施の形態１の放電灯点灯装置は、一定期間アドレス付き調光信号を受信しない場合、マイコン３１２が、予め定められた所定の調光率で放電灯を点灯するので、調光信号送出装置系統の故障の場合にも、所定の照度を確保することができる。
【００５６】
実施の形態１の放電灯点灯装置は、アドレス付き調光信号を受信した場合であっても、自己の有するアドレスに相当するアドレス信号を受信しない場合は、マイコン３１２が、予め定められた所定の調光率で放電灯を制御する。よって、調光信号送出装置から送出された調光信号に該当するアドレスが無い照明器具の場合も、所定の調光率を得ることができる。
【００５７】
実施の形態１の放電灯点灯装置は、アドレス付き調光信号を受信した場合であっても、自己の有するアドレスに相当するアドレス信号を受信しない場合は、マイコン３１２が、送出されたアドレス信号のうち予め指定されたアドレスに対応するＰＷＭ信号を選択する。よって、調光信号送出装置から送出された調光信号に該当するアドレスが無い照明器具の場合も、所定の調光率を得ることができる。
【００５８】
実施の形態１の照明制御システムは、マイコン３１２が、アドレスデータ３１３１と一致するアドレス信号に対応する調光信号を選択する。よって、特別の装置を必要とすることなく容易に調光制御をすることができる。
【００５９】
実施の形態１の照明制御システムは、マイコン３１２が、アドレスデータ３１３１と一致するアドレス信号に対応する調光信号を選択する。よって、特別の装置を必要とすることなく複数の放電灯点灯装置を異なる調光率で簡単に制御をすることができる。
【００６０】
実施の形態１の照明制御システムは、調光信号送出装置がアドレス信号のみをシリアルに送出するモードを有するとともに、放電灯点灯装置は、アドレス信号を受信し、かつ、放電灯の抜去を検出した場合にアドレスデータ３１３１を設定／更新する。よって、それぞれの放電灯点灯装置のアドレスを書き換えることができる。
【００６１】
実施の形態１の照明制御システムは、調光信号送出装置がアドレス付き消灯信号、あるいはアドレス付き点灯信号を送出し、放電灯点灯装置のマイコンは、自己のアドレス一致するアドレス付き消灯信号等に応答する。よって、複数の放電灯点灯装置のうち希望する放電灯点灯装置に対して、柔軟に点灯、消灯の制御ができる。
【００６２】
実施の形態１の放電灯点灯装置は、連続するアドレスデータと、引き続き連続する調光信号を受信した場合、マイコン３１２が、アドレスデータ３１３１と一致するアドレス信号に対応する調光信号を選択する。よって、特別の装置を必要とすることなく容易に調光制御をすることができる。
【００６３】
実施の形態１の照明制御システムは、放電灯点灯装置が、連続するアドレスデータを受信し、これに引き続き、連続する調光信号を受信した場合、アドレスデータ３１３１と一致するアドレス信号に対応する調光信号を選択する。よって、特別の装置を必要とすることなく容易に調光制御をすることができる。
【図面の簡単な説明】
【００６４】
【図１】実施の形態１における照明制御システムを図。
【図２】実施の形態１における不揮発性メモリの格納する情報を示す図。
【図３】実施の形態１のアドレス付き調光信号を示す図。
【図４】実施の形態１における調光制御のフローチャート。
【図５】実施の形態１における単体アドレス信号を示す図。
【図６】実施の形態１におけるアドレス更新を示すフローチャート。
【図７】実施の形態１における照明制御システム１０００の構成を示す図。
【符号の説明】
【００６５】
１  交流電源、２  ダイオードブリッジ、３  チョークコイル、４  ダイオード、５  スイッチング素子、６  コンデンサ、７，８  スイッチング素子、９  カップリングコンデンサ、１０  チョークコイル、１１  放電灯、１２  コンデンサ、１３，１４  抵抗、２０  電源スイッチ、１００  放電灯点灯装置、２００  昇圧チョッパ回路、２１０  昇圧チョッパ制御回路、３００  インバータ回路、３１０  インバータ制御回路、３１１  制御出力回路、３１２  マイコン、３１３  不揮発性メモリ、３２０  放電灯状態検出回路、３３０  放電灯負荷回路、３４０  調光信号送出装置、３５０  調光インターフェース回路、３５１  フォトカプラ、３５２，３５３  抵抗、５００，１０００  照明制御システム、３１３１  アドレスデータ、３１３２  対応テーブル。
【図１】
2008041480.tif 000003
【図２】
2008041480.tif 000004
【図３】
2008041480.tif 000005
【図４】
2008041480.tif 000006
【図５】
2008041480.tif 000007
【図６】
2008041480.tif 000008
【図７】
2008041480.tif 000009